(57)【要約】  【目的】  携帯電話１の表示に適した画像ファイルを携帯電話１に送信する。  【構成】  携帯電話１から画像変換サーバ２に画像ファイルがリクエストされる。携帯電話１の画像表示情報が画像表示情報データベース３に記憶されていなければ，その画像表示情報が画像表示情報管理サーバ４に要求される。要求された画像表示情報が画像表示情報管理サーバ４から画像変換サーバ２に送信される。画像表示情報管理サーバ４から送信された画像表示情報を用いて，携帯電話１に送信すべき画像ファイルが変換される。変換された画像ファイルが画像変換サーバ２から携帯電話１に送信される。携帯電話１の表示装置には，表示装置の表示画面に対応した適切な画像が表示されるようになる。  【選択図】  図１
2006113924.tif 000002
【特許請求の範囲】
【請求項１】
画像表示装置を備えた携帯型端末装置から送信された機種データを受信する機種データ受信手段，
携帯型端末装置に備えられている画像表示装置に画像を表示するための画像表示情報を携帯型端末装置の機種ごとに記憶する記憶装置に，上記機種データ受信手段において受信した機種データによって特定される機種についての画像表示情報が記憶されていないかどうかを判定する機種情報判定手段，
上記機種情報判定手段によって画像表示情報が記憶されていないと判定されたことに応じて，画像表示情報が記憶されている画像表示情報管理サーバに，上記機種データ受信手段によって受信した機種データによって特定される機種についての画像表示情報の送信を要求し，かつあらかじめ定められた規定情報にしたがった表示ができるように画像ファイルを変換する送信要求／変換手段，
上記送信要求／変換手段による送信要求に応じて，上記画像表示情報管理サーバから送信される画像表示情報を受信する画像表示情報受信手段，
上記送信要求／変換手段による送信要求から所定時間内に，上記画像表示情報受信手段によって上記画像表示情報管理サーバから送信された画像表示情報を受信したかどうかを判定する受信判定手段，
上記受信判定手段によって上記送信要求から所定時間内に，上記画像表示情報管理サーバから送信された画像表示情報を受信したと判定されたことに応じて，受信した画像表示情報にしたがった表示ができるように上記画像ファイルを変換する第１の画像ファイル変換手段，および
上記受信判定手段によって上記送信要求から所定時間内に上画像表示情報管理サーバから送信された画像表示情報を受信しなかったと判定されたことに応じて，上記送信要求／変換手段によって変換された画像ファイルを，上記機種データを送信した携帯型端末装置に送信し，上記受信判定手段によって上記送信要求から所定時間内に画像表示情報管理サーバから送信された画像表示情報を受信したと判定されたことに応じて，上記第１の画像ファイル判定手段によって変換された画像ファイルを，上記機種データを送信した携帯型端末装置に送信する画像ファイル送信手段，
を備えた画像変換サーバ。
【請求項２】
上記画像表示情報管理サーバから送信された画像表示情報を携帯型端末装置の機種に応じて記憶するように上記記憶装置を制御する記憶制御手段，
をさらに備えた請求項１に記載の画像変換サーバ。
【請求項３】
上記記憶制御手段は，上記記憶装置に記憶した日にちを表すデータを画像表示情報に関連づけて上記記憶装置に記憶するものであり，
上記機種情報判定手段によって上記記憶装置に上記機種データ受信手段において受信した機種データによって特定される機種についての画像表示情報が記憶されていると判定されたことにより，記憶されている画像表示情報を用いて上記画像ファイルを変換し，かつ画像表示情報に関連付けられている日にちを表すデータを更新する変換／更新手段をさらに備え，
上記画像ファイル送信手段は，上記送信要求／更新手段，上記第１の画像ファイル変換手段または上記変換／更新手段によって変換された画像ファイルを上記機種データを送信した携帯型端末装置に送信するものであり，
上記記憶装置の残容量が一定量以下かどうかを検出する残容量検出手段，および
上記残容量検出手段により上記記憶装置の残容量が一定量以下であると判定されたことにより，もっとも古い日にちの画像表示情報を上記記憶装置から消去する消去手段，
をさらに備えた請求項２に記載の画像変換サーバ。
【請求項４】
画像表示装置を備えた携帯型端末装置から送信された画像ファイルのリクエスト・データを受信するリクエスト・データ受信手段，
上記機種情報判定手段によって画像表示情報が記憶されていないと判定されたことに応じて，上記リクエスト・データ受信手段によって受信したリクエスト・データの中に画像表示情報が含まれているかどうかを判定する表示情報含有判定手段，および
上記表示情報含有判定手段によって，上記リクエスト・データの中に画像表示情報が含まれていると判定されたことに応じて上記リクエスト・データに含まれている画像表示情報にしたがった表示ができるように上記画像ファイルを変換する第２の画像ファイルを変換する第２の画像ファイル変換手段をさらに備え，
上記送信要求／変換手段は，上記表示情報含有判定手段によって上記リクエスト・データに中に画像表示情報が含まれていないと判定されたことに応じて上記画像情報管理サーバに画像表示情報の送信を要求するものであり，上記画像ファイル送信手段は，上記送信要求／変換手段，上記第１の画像ファイル変換手段または上記第２の画像ファイル変換手段によって変換された画像ファイルを，上記機種データを送信した携帯型端末装置に送信するものである，
請求項１に記載の画像変換サーバ。
【請求項５】
携帯型端末装置に備えられている画像表示装置に画像を表示するための画像表示情報が機種ごとに記憶されている記憶装置の画像表示情報を更新する画像表示情報更新サーバにおいて，
画像表示情報が記憶されている画像表示情報管理サーバから送信される電子メールを受信する電子メール受信手段，
上記電子メール受信手段によって受信した電子メールの件名が上記画像表示情報が電子メールに含まれていることを示す文字列が含まれているかどうかを判定する判定手段，
上記判定手段によって上記文字列が含まれていると判定されたことにより，上記電子メールに含まれている画像の表示情報を上記電子メールから読み取る読み取り手段，および
上記読み取り手段によって読み取られた画像表示情報を上記記憶装置に記憶する記憶制御手段，
を備えた画像表示情報更新サーバ。
【請求項６】
上記記憶制御手段により画像表示情報が上記記憶装置に記憶されたことに応じて，画像表示情報の記憶終了を示す電子メールを上記画像表示情報管理サーバに送信する電子メール送信手段，
をさらに備えた請求項５に記載の画像表示情報更新サーバ。
【請求項７】
画像表示装置を備えた携帯型端末装置から送信された機種データを受信し，
携帯型端末装置に備えられている画像表示装置に画像を表示するための画像表示情報を携帯型端末装置の機種ごとに記憶する記憶装置に，受信した機種データによって特定される機種についての画像表示情報が記憶されていないかどうかを判定し，
上記記憶装置に画像表示情報が記憶されていないと判定されたことに応じて，画像表示情報が記憶されている画像表示情報管理サーバに，受信した機種データによって特定される機種についての画像表示情報の送信を要求し，かつあらかじめ定められた規定情報にしたがった表示ができるように画像ファイルを変換し，
上記送信要求に応じて，上記画像表示情報管理サーバから送信される画像表示情報を受信し，
上記送信要求から所定時間内に，上記画像表示情報管理サーバから送信された画像表示情報を受信したかどうかを判定し，
上記送信要求から所定時間内に，上記画像表示情報管理サーバから送信された画像表示情報を受信したと判定されたことに応じて，受信した画像表示情報にしたがった表示ができるように上記画像ファイルを変換し，
上記送信要求から所定時間内に，上画像表示情報管理サーバから送信された画像表示情報を受信しなかったと判定されたことに応じて，上記規定情報にもとづいて変換された画像ファイルを上記機種データを送信した携帯型端末装置に送信し，上記送信要求から所定時間内に画像表示情報管理サーバから送信された画像表示情報を受信したと判定されたことに応じて，上記画像表示情報管理サーバから送信された画像表示情報にしたがって変換された画像ファイルを上記機種データを送信した携帯型端末装置に送信する，
画像変換サーバの制御方法。
【請求項８】
携帯型端末装置に備えられている画像表示装置に画像を表示するための画像表示情報が機種ごとに記憶されている記憶装置の画像表示情報を更新する画像表示情報更新サーバにおいて，
画像表示情報が記憶されている画像表示情報管理サーバから送信される電子メールを受信し，
受信した電子メールの件名が上記画像表示情報が電子メールに含まれていることを示す文字列が含まれているかどうかを判定し，
上記文字列が含まれていると判定されたことにより，上記電子メールに含まれている画像の表示情報を上記電子メールから読み取り，
読み取られた画像表示情報を上記記憶装置に記憶する，
画像表示情報更新サーバの制御方法。
【発明の詳細な説明】
【技術分野】
【０００１】
この発明は，画像変換サーバおよび画像表示情報更新サーバならびにそれらの制御方法に関する。
【背景技術】
【０００２】
携帯電話の多くに画像を表示できる表示装置が設けられている。表示装置の表示画面の大きさ，表示画面に表示できる画像のフォーマットなどの画像表示情報は携帯電話の機種によって異なる。このために，画像サーバから携帯電話に画像ファイルを送信する場合には，画像を表示できるように携帯電話の機種に応じて画像の大きさ，フォーマットなどを変換する必要がある。画像サーバには，多くの種類の画像表示情報が携帯電話に対応して記憶されている。携帯電話から画像サーバに携帯電話の機種を表す機種データが送信され，その機種データによって特定される機種に対応する画像表示情報が見つけられ，その見つけられた画像表示情報にしたがって画像の大きさ，フォーマットなどが変換される。変換された画像を表す画像ファイルが画像サーバから携帯電話に送信される。
【０００３】
しかしながら，携帯電話の機種は増加する一方であり，画像サーバに記憶されている画像表示情報も更新する必要がある。
【０００４】
複数のベンダが更新モジュールを提供している場合に，それらの更新モジュールをまとめてダウンロードするもの（特許文献１），プログラムのアップデータにおいてサーバがバージョンの管理を行うもの（特許文献２），更新ファイルの情報を登録されたクライアントに通知するもの（特許文献３）などがあるが，いずれも画像サーバに記憶されている画像表示情報に記憶されている画像表示情報の更新とは異なる。
【特許文献１】特開2002-7129号
【特許文献２】特開2002-259128号
【特許文献３】特開2000-112803号
【発明の開示】
【０００５】
この発明は，画像サーバに記憶されている画像表示情報の更新を改良することを目的とする。
【０００６】
第１の発明による画像変換サーバは，画像表示装置を備えた携帯型端末装置から送信された機種データを受信する機種データ受信手段，携帯型端末装置に備えられている画像表示装置に画像を表示するための画像表示情報を携帯型端末装置の機種ごとに記憶する記憶装置に，上記機種データ受信手段において受信した機種データによって特定される機種についての画像表示情報が記憶されていないかどうかを判定する機種情報判定手段，上記機種情報判定手段によって画像表示情報が記憶されていないと判定されたことに応じて，画像表示情報が記憶されている画像表示情報管理サーバに，上記機種データ受信手段によって受信した機種データによって特定される機種についての画像表示情報の送信を要求し，かつあらかじめ定められた規定情報にしたがった表示ができるように画像ファイルを変換する送信要求／変換手段，上記送信要求／変換手段による送信要求に応じて，上記画像表示情報管理サーバから送信される画像表示情報を受信する画像表示情報受信手段，上記送信要求／変換手段による送信要求から所定時間内に，上記画像表示情報受信手段によって上記画像管理サーバから送信された画像表示情報を受信したかどうかを判定する受信判定手段，上記受信判定手段によって上記送信要求から所定時間内に，上記画像表示情報管理サーバから送信された画像表示情報を受信したと判定されたことに応じて，受信した画像表示情報にしたがった表示ができるように上記画像ファイルを変換する第１の画像ファイル変換手段，および上記受信判定手段によって上記送信要求から所定時間内に上画像表示情報管理サーバから送信された画像表示情報を受信しなかったと判定されたことに応じて，上記送信要求／変換手段によって変換された画像ファイルを，上記機種データを送信した携帯型端末装置に送信し，上記受信判定手段によって上記送信要求から所定時間内に画像表示情報管理サーバから送信された画像表示情報を受信したと判定されたことに応じて，上記第１の画像ファイル判定手段によって変換された画像ファイルを，上記機種データを送信した携帯型端末装置に送信する画像ファイル送信手段を備えていることを特徴とする。
【０００７】
第１の発明は，上記画像変換サーバに適した制御方法も提供している。すなわち，この方法は，画像表示装置を備えた携帯型端末装置から送信された機種データを受信し，携帯型端末装置に備えられている画像表示装置に画像を表示するための画像表示情報を携帯型端末装置の機種ごとに記憶する記憶装置に，受信した機種データによって特定される機種についての画像表示情報が記憶されていないかどうかを判定し，上記記憶装置に画像表示情報が記憶されていないと判定されたことに応じて，画像表示情報が記憶されている画像表示情報管理サーバに，受信した機種データによって特定される機種についての画像表示情報の送信を要求し，かつあらかじめ定められた規定情報にしたがった表示ができるように画像ファイルを変換し，上記送信要求に応じて，上記画像表示情報管理サーバから送信される画像表示情報を受信し，上記送信要求から所定時間内に，上記画像管理サーバから送信された画像表示情報を受信したかどうかを判定し，上記送信要求から所定時間内に上記画像表示情報管理サーバから送信された画像表示情報を受信したと判定されたことに応じて，受信した画像表示情報にしたがった表示ができるように上記画像ファイルを変換し，上記送信要求から所定時間内に，上画像表示情報管理サーバから送信された画像表示情報を受信しなかったと判定されたことに応じて，上記規定情報にもとづいて変換された画像ファイルを，上記機種データを送信した携帯型端末装置に送信し，上記送信要求から所定時間内に画像表示情報管理サーバから送信された画像表示情報を受信したと判定されたことに応じて，上記画像表示情報管理サーバから送信された画像表示情報にしたがって変換された画像ファイルを，上記機種データを送信した携帯型端末装置に送信するものである。
【０００８】
第１の発明によると，携帯型端末装置から画像変換サーバに機種データが送信される。携帯型端末装置から送信された機種データが画像変換サーバにおいて受信されると，機種データによって特定される機種についての画像表示情報が記憶装置に記憶されていないかどうかが判断される。記憶されていないと判断されると，まず，画像表示情報管理サーバに，その記憶されていない画像表示情報の送信要求が送信される。また，あらかじめ定められている規定情報を用いて，携帯型端末装置に送信すべき画像ファイルの変換が行われる。送信要求から一定時間内に，画像表示情報管理サーバから画像表示情報が送信されなければ，あらかじめ定められている規定情報を用いて変換された画像ファイルが画像変換サーバから携帯型端末装置に送信される。送信要求から一定時間内に，画像表示情報管理サーバから画像表示情報が送信されると，画像表示情報管理サーバから送信された画像表示情報を用いて画像ファイルが変換される。変換された画像ファイルが画像変換サーバから携帯型端末装置に送信される。
【０００９】
画像変換サーバに，画像ファイルを送信すべき携帯型端末装置についての画像表示情報が記憶されていない場合であっても，携帯型端末装置には，その携帯型端末装置用の画像表示情報によって変換され画像ファイルまたはあらかじめ定められている規定情報によって変換された画像ファイルを所定時間内に送信できるようになる。
【００１０】
上記画像表示情報管理サーバから送信された画像表示情報を携帯型端末装置の機種に応じて記憶するように上記記憶装置を制御する記憶制御手段をさらに備えるとよい。
【００１１】
上記記憶制御手段は，上記記憶装置に記憶した日にちを表すデータを画像表示情報に関連づけて上記記憶装置に記憶するものでもよい。この場合，上記機種情報判定手段によって上記記憶装置に上記機種データ受信手段において受信した機種データによって特定される機種についての画像表示情報が記憶されていると判定されたことにより，記憶されている画像表示情報を用いて上記画像ファイルを変換し，かつ画像表示情報に関連付けられている日にちを表すデータを更新する変換／更新手段をさらに備えることとなろう。また，上記画像ファイル送信手段は，上記送信要求／更新手段，上記第１の画像ファイル変換手段または上記変換／更新手段によって変換された画像ファイルを上記機種データを送信した携帯型端末装置に送信するものとなろう。この場合，上記記憶装置の残容量が一定量以下かどうかを検出する残容量検出手段，および上記残容量検出手段により上記記憶装置の残容量が一定量以下であると判定されたことにより，もっとも古い日にちの画像表示情報を上記記憶装置から消去する消去手段をさらに備える。
【００１２】
記憶装置の容量が少なくなっても，利用頻度の高い画像表示情報を記憶させておくことができる。
【００１３】
画像表示装置を備えた携帯型端末装置から送信された画像ファイルのリクエスト・データを受信するリクエスト・データ受信手段，上記機種情報判定手段によって画像表示情報が記憶されていないと判定されたことに応じて，上記リクエスト・データ受信手段によって受信したリクエスト・データの中に画像表示情報が含まれているかどうかを判定する表示情報含有判定手段，および上記表示情報含有判定手段によって，上記リクエスト・データの中に画像表示情報が含まれていると判定されたことに応じて上記リクエスト・データに含まれている画像表示情報にしたがった表示ができるように上記画像ファイルを変換する第２の画像ファイルを変換する第２の画像ファイル変換手段をさらに備えてもよい。この場合，上記送信要求／変換手段は，上記表示情報含有判定手段によって上記リクエスト・データに中に画像表示情報が含まれていないと判定されたことに応じて上記画像情報管理サーバに画像表示情報の送信を要求するものであり，上記画像ファイル送信手段は，上記送信要求／変換手段，上記第１の画像ファイル変換手段または上記第２の画像ファイル変換手段によって変換された画像ファイルを，上記機種データを送信した携帯型端末装置に送信するものとなろう。
【００１４】
第２の発明は，携帯型端末装置に備えられている画像表示装置に画像を表示するための画像表示情報が機種ごとに記憶されている記憶装置の画像表示情報を更新する画像表示情報更新サーバにおいて，画像表示情報が記憶されている画像表示情報管理サーバから送信される電子メールを受信する電子メール受信手段，上記電子メール受信手段によって受信した電子メールの件名が上記画像表示情報が電子メールに含まれていることを示す文字列が含まれているかどうかを判定する判定手段，上記判定手段によって上記文字列が含まれていると判定されたことにより，上記電子メールに含まれている画像の表示情報を上記電子メールから読み取る読み取り手段，および上記読み取り手段によって読み取られた画像表示情報を上記記憶装置に記憶する記憶制御手段を備えていることを特徴とする。
【００１５】
第２の発明は，上記画像表示情報更新サーバに適した制御方法も提供している。すなわち，この方法は，携帯型端末装置に備えられている画像表示装置に画像を表示するための画像表示情報が機種ごとに記憶されている記憶装置の画像表示情報を更新する画像表示情報更新サーバにおいて，画像表示情報が記憶されている画像表示情報管理サーバから送信される電子メールを受信し，受信した電子メールの件名が上記画像表示情報が電子メールに含まれていることを示す文字列が含まれているかどうかを判定し，上記文字列が含まれていると判定されたことにより，上記電子メールに含まれている画像の表示情報を上記電子メールから読み取り，読み取られた画像表示情報を上記記憶装置に記憶するものである。
【００１６】
第２の発明によると，画像表示情報管理サーバから送信される電子メールが受信される。電子メールに画像表示情報が含まれている場合には，その電子メールの件名に，画像表示情報が含まれていることを示す所定の文字列が含まれている。受信した電子メールの件名に所定の文字列が含まれていると，その電子メールに含まれている画像表示情報が読み取られる。読み取られた画像表示情報が記憶装置に記憶される。
【００１７】
記憶装置に記憶される画像表示情報を適宜更新することができる。とくに，件名を確認することにより，その電子メールに画像表示情報が含まれているかどうかがわかるので，画像表示情報が含まれていない電子メールを受信する必要もない。効率よく画像表示情報を更新できる。
【００１８】
上記記憶制御手段により画像表示情報が上記記憶装置に記憶されたことに応じて，画像表示情報の記憶終了を示す電子メールを上記画像表示情報管理サーバに送信する電子メール送信手段をさらに備えてもよい。
【００１９】
画像表示情報管理サーバは，上記記憶装置に記憶される画像表示情報が更新されたことがわかるので，画像表示情報が記憶されている電子メールを再度画像表示情報更新サーバに送信してしまうことを未然に防止できる。
【実施例】
【００２０】
図１は，この発明の実施例を示すもので，ネットワーク画像表示システムの概要を示している。
【００２１】
ネットワーク画像表示システムには，ネットワークを介して互いに通信可能な画像変換サーバ２，画像表示情報管理サーバ４および電子メール・サーバ５が含まれている。画像変換サーバ２には，画像表示情報データベース３が接続されている。また，画像変換サーバ２は，携帯電話１と通信可能である。この図においては，携帯電話１と画像変換サーバ２とが直接通信するように記載されているが，ネットワークを介して通信するのはいうまでもない。
【００２２】
画像変換サーバ２に接続されている画像表示情報データベース３には，画像表示情報（携帯電話に設けられている表示装置に表示できる画像の大きさ，画像のフォーマット）が携帯電話の機種に応じて多数記憶されている。画像変換サーバ２は，画像表示情報にもとづいて，携帯電話１の表示に適した画像となるように携帯電話１に送信する画像ファイルを変換するものである。
【００２３】
画像表示情報管理サーバ４にも記憶装置が含まれており，その記憶装置に，多数の画像表示情報が記憶される。画像表示情報管理サーバ４の記憶装置には，新機種の携帯電話が発売されるごとに，その新機種の携帯電話の画像表示情報がオペレータによって記憶されていく。画像変換サーバ２にアクセスした携帯電話１の画像表示情報が，画像変換サーバ２に接続されている画像表示データベース３に記憶されていない場合には，その携帯電話１の画像表示情報の送信要求が画像変換サーバ２から画像表示情報管理サーバ４に送信される。送信要求に応じて，画像表示情報管理サーバ４から画像変換サーバ２に携帯電話１の画像表示情報が送信される。
【００２４】
また，新機種の携帯電話の画像表示情報が画像表示情報管理サーバ４に記憶された場合には，その画像表示情報が記述された電子メールが電子メール・サーバ５を介して画像変換サーバ２に送信される。電子メールに記述された画像表示情報を読み取られると，その読み取られた画像表示情報が画像表示情報データベース３に記憶される。画像表示情報データベース３に記憶される画像表示情報を適宜更新できる。
【００２５】
画像変換サーバ２，画像表示情報管理サーバ４および電子メール・サーバ５は，それぞれＣＰＵ，通信装置，メモリ，入力装置，表示装置などを備えているのはいうまでもない。
【００２６】
図２は，画像表示情報データベース３に記憶されている画像表示情報の一例である。
【００２７】
画像表示情報は，携帯電話の機種ごとに記憶されている。
【００２８】
画像表示情報には，携帯電話の表示装置に表示できる画像の幅および高さならびに画像のフォーマットが含まれている。また，デフォルトの画像表示情報も規定されている。デフォルトの画像表示情報は，画像の幅が160画素，高さが180画素，フォーマットがJPEG（Joint Photographic Coding Experts Group）のものとされている。
【００２９】
図３および図４は，画像変換サーバの処理手順を示すフローチャートである。
【００３０】
以下に示す処理は，画像変換サーバ２にアクセスした携帯電話１の画像表示情報が画像表示情報データベース３に記憶されていれば，その記憶されている画像表示情報を用いて画像ファイルを変換し，変換された画像ファイルが画像変換サーバ２から携帯電話１に送信される。記憶されていなければ，携帯電話１の画像表示情報の送信要求を画像表示情報管理サーバ４に送信するとともに，デフォルトの画像表示情報を用いて画像ファイルを変換しておき，一定時間内に画像表示情報管理サーバ４からの画像表示情報が受信された場合には，その受信した画像表示情報を用いて画像ファイルを変換し，変換された画像ファイルが画像変換サーバ２から携帯電話１に送信される。一定時間内に画像表示情報管理サーバ４からの画像表示情報が受信されない場合には，デフォルトの画像表示情報によって変換された画像ファイルが画像変換サーバ２から携帯電話１に送信される。
【００３１】
携帯電話１から画像リクエスト・ファイルが送信され，その画像リクエスト・ファイルが画像変換サーバ２において受信される（ステップ11）。画像リクエスト・ファイルのヘッダには，携帯電話１の機種を示す機種データが含まれており，その機種データから携帯電話１の機種が判別される（ステップ12）。判別された機種に対応する画像表示情報が画像表示情報データベース３に記憶されているかどうかが確認される（ステップ13）。
【００３２】
記憶されているのであれば（ステップ13でＹＥＳ），対応する画像表示情報が画像表示情報データベース３から読み取られ，その画像表示情報にもとづいて，画像表示リクエスト・ファイルに対応した画像ファイルが変換される（図４ステップ23）。変換された画像ファイルが画像変換サーバ２から携帯電話１に送信される（ステップ24）。
【００３３】
携帯電話１の画像表示情報が画像表示情報データベース３に記憶されていなければ（図３ステップ13でＮＯ），画像表示情報管理サーバ４に，判別された機種に対応する画像表示情報の送信要求が行われる（ステップ14）。また，画像表示情報データベース３に記憶されているデフォルトの画像表示情報を用いて，携帯電話１に送信すべき画像ファイルの変換が行われる（ステップ15）。
【００３４】
画像変換サーバ２から送信された携帯電話１の画像表示情報の送信要求が画像表示情報管理サーバ４において受信されると，画像表示情報管理サーバ４の記憶装置に記憶されている画像表示情報の中から対応する画像表示情報が見つけられる。見つけられた画像表示情報が画像表示情報管理サーバ４から画像変換サーバ２に送信される。
【００３５】
画像変換サーバ２においては，画像表示情報管理サーバ４への画像表示情報の送信要求から時計によって計時が開始されており，一定時間を経過したかどうかが確認される（図４ステップ16）。一定時間がまだ経過していなければ（ステップ16でＮＯ），画像表示情報管理サーバ４から送信される画像表示情報を受信したかどうかが確認される（ステップ20）。受信していなければ（ステップ20でＮＯ），再び，画像表示情報の送信要求から一定時間が経過したかどうかが確認される（ステップ16）。
【００３６】
画像表示情報の送信要求から一定時間が経過する前に，画像表示情報管理サーバ４から送信された画像表示情報が受信されると（ステップ20でＹＥＳ），受信した画像表示情報にもとづいて画像ファイルが変換される（ステップ21）。変換された画像ファイルが画像変換サーバ２から携帯電話１に送信される（ステップ22）。デフォルトの画像表示情報にもとづいて変換された画像ファイルは携帯電話１には送信されない。また，画像表示情報管理サーバ４から送信された画像表示情報が，携帯電話１の機種に対応して画像表示情報データベース３に記憶される（ステップ19）。携帯電話１に送信される画像ファイルは，携帯電話１の画像表示情報にもとづいて変換されたものであるから，携帯電話１での画像表示に適したものである。携帯電話１の表示画面の大きさに対応した画像が適切なフォーマットで表示されるようになる。
【００３７】
画像表示情報管理サーバ４から送信される画像表示情報を受信する前に，画像表示情報の送信要求から一定時間が経過すると（ステップ16でＹＥＳ），デフォルトの画像表示情報にもとづいて変換された画像ファイルが画像変換サーバ２から携帯電話１に送信される（ステップ17）。デフォルトの画像表示情報は，一般的に使用されている可能性が高いものであるから，携帯電話１の表示装置に適切に画像を表示できる可能性が比較的高い。画像表示情報管理サーバ４から送信される画像表示情報が受信されると（ステップ18でＹＥＳ），その受信された画像表示情報が画像表示情報データベース３に記憶される（ステップ19）。
【００３８】
図５は，変形例を示すもので，画像変換サーバ２の処理手順の一部を示すものである。図５は，図３に対応しており，図３に示す処理と同一の処理については同一の符号を付して説明を省略する。図６は，携帯電話１から送信される画像リクエスト・ファイルのヘッダに記録されている付属情報の一例である。
【００３９】
図６を参照して，付属情報には，画像ファイルを要求するGET指令，User-Agent，screenpixels，color，screendepth，formatなどが含まれている。screenpixelsは，表示画面の幅および高さを示している。colorは，表示できる画像の色（カラーまたは白黒）を示している。screendepthは，画素のビット数を表している。図６におけるＲＧＢ３３２は，赤色は３ビット，緑色は３ビット，青色は２ビットであることを示している。formatは，表示される画像のフォーマットである。このように，付属情報にscreendepthが含まれていることにより，表示できる画像の幅および高さがわかり，formatが含まれていることにより，画像のフォーマットがわかる。
【００４０】
携帯電話１から送信された画像リクエスト・ファイルに，その画像リクエスト・ファイルを送信した携帯電話１の表示画面の大きさおよび表示可能な画像のフォーマットが記録されているかどうかが確認される（ステップ31）。記録されている場合には（ステップ31でＹＥＳ），上述した画像表示情報が携帯電話１に対応して生成される（ステップ32）。生成された画像表示情報が画像表示情報データベース３に記憶される（ステップ33）。また，生成された画像表示情報にもとづいて画像ファイル（携帯電話１から要求された画像ファイル）が変換される（ステップ34）。変換された画像ファイルが画像変換サーバ２から携帯電話１に送信される（ステップ35）。
【００４１】
図７および図８は，さらに他の変形例を示すものである，
【００４２】
図７は，画像表示情報データベース３に記憶される画像表示情報を示している。
【００４３】
この実施例においては，画像表示情報の使用に応じて画像表示情報の使用日が更新される（更新日）。携帯電話の機種に応じて画像表示情報が画像表示情報データベース３に記憶されるだけでなく，その更新日も記憶される。
【００４４】
図８は，画像変換サーバ２の処理手順を示すフローチャートである。この図は，図４に対応しており，図４に示す処理と同一の処理については同一符号を付して説明を省略する。
【００４５】
画像表示情報データベース３に，画像変換サーバ２にアクセスした携帯電話１の画像表示情報が記憶されており，その画像表示情報を用いて画像ファイルが変換された場合には，対応する更新日が画像表示情報が用いられた日にちに書き換えられる（ステップ44）。日にちは，画像変換サーバ２に含まれている時計によってわかる。
【００４６】
上述したように，画像表示情報データベース３に画像変換サーバ２にアクセスした携帯電話１の画像情報が記憶されていず，画像表示情報管理サーバ４から画像表示情報が送信される場合には（ステップ18または20でＹＥＳ），画像表示情報データベース３の残容量が検出される（ステップ41）。残容量が一定量以下であると（ステップ42でＹＥＳ），画像表示情報データベース３に記憶されている画像表示情報のうちもっとも古い画像表示情報が削除される（ステップ43）。画像表示情報データベース３の容量を確保しつつ，使用頻度の高い画像表示情報を記憶させておくことができる。残容量が一定量以下でなければ（ステップ42でＮＯ），ステップ43の処理は行われない。
【００４７】
図９は，他の実施例を示すもので，画像表示情報管理サーバ４と画像変換サーバ２との処理手順を示すフローチャートである。
【００４８】
画像表示情報管理サーバ４においては，画像変換サーバ２からの画像表示情報を含む画像変換サーバ２宛の電子メールを受信したかどうかが一定日時おきに確認される（ステップ51）。画像変換サーバ２からのその電子メールを受信していなければ（ステップ51でＹＥＳ），画像表示情報を含み，かつ画像変換サーバ２宛の電子メールが電子メール・サーバ５にアップロードされる（ステップ52）。
【００４９】
この電子メールは，画像表示情報管理サーバ４に新たに記憶された画像表示情報を，電子メールの本文に記述しているものである。さらに，電子メールの件名（subject）には，画像表示情報が電子メール本文に記述されていることが件名をチェックすることによりわかるように，所定の文字列が含まれている。たとえば，文字列は，「画像表示情報」である。したがって，件名として「Subject：［画像表示情報］20041010」と記述されている電子メールは，その電子メールの本文に画像表示情報が記述されていることが，電子メールの件名をチェックすることによりわかる。
【００５０】
画像変換サーバ２によって，電子メール・サーバ５から電子メールの件名リストがダウンロードされる（ステップ61）。ダウンロードされた件名リストに含まれる件名の中に，電子メール本文に画像表示情報を含む電子メールであることを示す件名があるかどうかが確認される（ステップ62）。上述したように電子メールの件名リストに，［画像表示情報］の文字列が含まれていると，その文字列が含まれている件名をもつ電子メールには
画像表示情報が含まれている。このために，そのような文字列が含まれている件名があると，画像表示情報を含む電子メールを示す件名であると判断される（ステップ62でＹＥＳ）。すると，そのような文字列を件名にもつ電子メールが電子メール・サーバ５からダウンロードされる（ステップ63）。
【００５１】
ダウンロードされた電子メールに含まれている画像表示情報が読み取られ（ステップ64），読み取られた画像表示情報が画像表示情報データベース３に記憶される（ステップ64）。すると，電子メールを受信した旨を示す電子メール受信済電子メールが画像変換サーバ２から画像表示情報管理サーバ４に送信される（ステップ65）。
【００５２】
画像表示情報管理サーバ４には，画像変換サーバ２からの受信済電子メールが送信されるので，画像表示情報データベース３に記憶された画像表示情報が含まれている電子メールを重複して画像変換サーバ２に送信してしまうことを未然に防止できる。
【図面の簡単な説明】
【００５３】
【図１】ネットワーク画像表示システムの概要を示している。
【図２】画像表示情報を示すテーブルである。
【図３】画像変換サーバの処理手順を示すフローチャートである。
【図４】画像変換サーバの処理手順を示すフローチャートである。
【図５】画像変換サーバの処理手順を示すフローチャートである。
【図６】付属情報の一例である。
【図７】画像表示情報を示すテーブルである。
【図８】画像変換サーバの処理手順を示すフローチャートである。
【図９】画像表示情報管理サーバと画像変換サーバとの処理手順を示すフローチャートである。
【符号の説明】
【００５４】
１  携帯電話（携帯型端末装置）
２  画像変換サーバ（画像表示情報更新サーバ）
３  画像表示情報データベース
４  画像表示情報管理サーバ
５  電子メール・サーバ
【図１】
2006113924.tif 000003
【図２】
2006113924.tif 000004
【図３】
2006113924.tif 000005
【図４】
2006113924.tif 000006
【図５】
2006113924.tif 000007
【図６】
2006113924.tif 000008
【図７】
2006113924.tif 000009
【図８】
2006113924.tif 000010
【図９】
2006113924.tif 000011